(57)【要約】本発明は、後部から前部まで内部にインクリザバを備える本体を有する液体インク筆記具に関する。ここで、リザバおよび書き込みヘッドからのインクを移送するためのキャピラリー要素がある。書き込みヘッドは、キャピラリー要素によってインクが供給され、本体の前部の外にインクを放出する。リザバ（３）は、長穴（１６）が設けられた形状記憶特性を有する可撓性壁によって前部チャンバ（６）から隔離される。長穴（１６）はバルブ（１３）として機能し、前記バルブ（１３）に対向する前部チャンバ（６）の空間内の圧力（Ｐ２）に対する前記リザバ（３）内の圧力（Ｐ１）の比（Ａ）が第１の値（Ａ１）より高くなると開状態になり、前記比（Ａ）が第２の値（Ａ２）を超えないと瞬時に閉状態になるように設計される。第２の値（Ａ２）では、キャピラリー要素（７）の後部面（７ａ）に向かう噴流の形態でインクを放出する。この筆記具は、リザバを加圧するための手段を備える。前部チャンバは外気と連通している。好ましくは、圧力（Ｐ１／Ｐ２）の比（Ａ）の第１の値（Ａ１）は１．０７のオーダーであり、比（Ａ）の第２の値（Ａ２）は１．０５のオーダーである。
2004520198.tif 000002
【特許請求の範囲】
【請求項１】
液体インク筆記用具であって、その本体に、後部端から前部端にかけて、インク用のリザバと前記リザバから出るインクを書き込みヘッドに送るキャピラリー要素を含む前部チャンバとを備え、前記書き込みヘッドには前記キャピラリー要素により前記インクが供給され、前記書き込みヘッドは前記本体の前部から突出し、前記筆記用具は、
前記リザバ（３）が形状記憶特性を有し、かつ長穴（１６）が設けられた可撓性壁によって前記前部チャンバ（６）から分離され、前記可撓性壁はバルブ（１３）として作用し、このバルブ（１３）は、前記バルブ（１３）に対向する前記前部チャンバ（６）の空間内の圧力（Ｐ２）に対する前記リザバ（３）内の圧力（Ｐ１）の比が第１の値（Ａ１）を超えたときに開状態となり、前記比（Ａ）が第２の値（Ａ２）以下になった瞬間に再度閉状態となるのに適しており、前記バルブは前記インクを前記キャピラリー要素（７）の後部面（７ａ）の方に噴流の形態で放出し、前記筆記用具は前記リザバを加圧する手段を含み、前記前部チャンバは外気と連通していることを特徴とする液体インク筆記用具。
【請求項２】
前記圧力（Ｐ１／Ｐ２）の比（Ａ）の前記第１の値（Ａ１）が約１．０７であり、前記比（Ａ）の第２の値（Ａ２）が約１．０５であることを特徴とする請求項１に記載の筆記用具。
【請求項３】
前記加圧手段は、前記インクリザバと位置合わせをした前記筆記用具の前記本体の弾性変形可能ゾーンによって構成されていることを特徴とする請求項１または２に記載の筆記用具。
【請求項４】
前記弾性ダイヤフラムで形成された前記変形可能ゾーン（１２）は、前記筆記用具（１）の前記本体（２）の剛性部分にわたって、好ましくは横方向にテンションがかけられていることを特徴とする請求項３に記載の筆記用具。
【請求項５】
前記ゾーン（１２）の変形量および領域は、ユーザがユニットを起動させている間、前記バルブ（１３）が所定量のインク、好ましくは、０．１〜１ｃｍ３のインクを放出するように決定されることを特徴とする請求項３または４に記載の筆記用具。
【請求項６】
前記加圧手段は、前記筆記用具の前記本体の前記後部端に設置されたピストンによって構成されていることを特徴とする請求項１または２に記載の筆記用具。
【請求項７】
前記キャピラリー要素（７）は、前記インクの容器を形成する凹形状のインク受け入れ後部面（７ａ）を有することを特徴とする請求項１〜６のいずれか１項に記載の筆記用具。
【請求項８】
前記凹形表面の周縁部は、前記バルブの周縁部のすぐ近くにあることを特徴とする請求項７に記載の筆記用具。
【請求項９】
前記キャピラリー要素（７）にインクが含浸したときに前記前部チャンバ（６）の後部（６ａ）を密封するのに適切な閉鎖手段と、前記後部（６ａ）の内部容積を低減させる手段とを有することを特徴とする請求項８に記載の筆記用具。
【請求項１０】
前記閉鎖手段および前記容積低減手段は、インクが含浸することによって膨潤する材料で形成されることを特徴とする請求項９に記載の筆記用具。
【請求項１１】
上流端が前記バルブ（１３）と整列し、かつ下流端が前記キャピラリー要素（２１）に開放している透明チューブを有することを特徴とする請求項１〜６のいずれか１項に記載の筆記用具。
【請求項１２】
前記書き込みヘッド（２１ａ）は前記キャピラリー要素の前記前部によって構成され、前記透明チューブ（２３ｂ）は前記キャピラリー要素の支持部材の後部を構成することを特徴とする請求項１１に記載の筆記用具。
【発明の詳細な説明】
【技術分野】
【０００１】
本発明は、リザバ形成チャンバに含まれる液状インクを有する筆記用具に関する。この筆記用具は書き込みヘッドを備え、書き込みヘッドはリザバから書き込みヘッドにインクを送るキャピラリー要素に接続されている。書き込みヘッドは、キャピラリー移送要素の端部によって構成することができる。
【背景技術】
【０００２】
これらの筆記用具は、２つに分類される。第１の分類は、インクを含有するリザバが外気から隔離され、空気を含まないものである。つまり、インクが無くなるとリザバ中の可撓性ピストンが移動し、密封される。
【０００３】
第２の分類の筆記用具は、インクを含有するリザバが外気から隔離されておらず、特に、インクが書き込みヘッドに連続的に導入されるようにキャピラリー要素がインクリザバに通じている。筆記用具が使用されると、キャピラリー要素次いで書き込みヘッドに拡散するリザバからのインクがなくなって、媒体に付着したインクに置き換わる。ここで、リザバから出たインクは、多孔性のキャピラリー要素を通過する空気で置換される。使用条件が変わると、特にリザバに含まれる空気の圧力が空気の温度上昇によって変化すると、異常量のインクがキャピラリー移送要素に流入し、キャップを筆記用具から外したときに汚れや染みが発生し得る。このような現象を避けるために、筆記用具のタイプは、リザバから出る過剰量のインクが書き込みヘッドに達するまでにそれを吸収する機能を有する「緩衝リザバ」と一般に称される部材に適合され、正常状態が再度確立されると、緩衝リザバに含まれるインクはキャピラリー要素に戻される。このような筆記用具の１つが、特に文献ＥＰ  ０  ５１６  ５３８に開示されている。
【０００４】
第１の分類の筆記用具では、インクリザバから書き込みヘッドへのインクの移送は連続的ではない。筆記用具の本体内でインクの消費が発生する圧力の差に起因して、筆記用具の使用中にインクが書き込みヘッドで消費されると、この移送が徐々に進行する。この解決法の１つは、特に文献ＥＰ  ０  ２４０  ９９４から公知である。この文献は、主インクリザバとキャピラリー要素が通じる副インクリザバとの間に設置されたバルブ機構を提供するものである。バルブ機構は、特に弾性材料（例えば、シリコーンゴム）のダイヤフラムを含み得る。このダイヤフラムには長穴が設けられており、所定の圧力差がダイヤフラムに作用すると、この長穴は開になり、インクが主リザバから副リザバに供給される。操作時において、筆記用具が使用状態にある場合、キャピラリー要素中のインクが消費されることにより副リザバ中の圧力が低下し、それによりバルブが開状態になり、それに伴ってインクが副リザバに流入し、キャピラリー要素にインクが再度供給される。このような動作を達成するために、バルブを開状態にすることを可能にする圧力差が比較的小さいことが理解される。このような筆記用具を記載するＥＰ  ０  ２４０  ９９４では、圧力差は水柱圧で１２５ミリメートル（ｍｍ）のオーダーであると記載している。このタイプの筆記用具では、主リザバ中の空気の温度上昇の問題は発生しない。このインク含有主リザバは外気から隔離され、空気を全く含まないからである。この主リザバは、インクがなくなるとリザバ内を移動する可撓性ピストンを有している。このような可撓性ピストンを備えていることにより、このような筆記用具は製造が複雑となる。
【発明の開示】
【発明が解決しようとする課題】
【０００５】
出願人が達成しようとする目的は、文献ＥＰ  ０  ２４０  ９９４の可撓性ピストンを有さず、文献ＥＰ  ０  ５１６  ５３８に記載されるような緩衝リザバを装着する必要がない液体インク筆記用具を提供することである。
【課題を解決するための手段】
【０００６】
この目的は、本発明の筆記用具によって十分達成される。本発明の筆記用具は、その本体に、後部端から前部端にかけて、インク用のリザバと前記リザバから出るインクを書き込みヘッドに送るキャピラリー要素を含む前部チャンバとを従来の態様で備える液体インク筆記用具である。ここで、前記書き込みヘッドには前記キャピラリー要素により前記インクが供給され、前記書き込みヘッドは前記本体の前部から突出している。
【０００７】
本発明の特徴的な態様は、リザバが形状記憶特性を有し、かつ長穴が設けられた可撓性壁によって前記前部チャンバから分離され、前記可撓性壁はバルブとして作用し、このバルブは、前記バルブに対向する前記前部チャンバの空間内の圧力（Ｐ２）に対する前記リザバ内の圧力（Ｐ１）の比（Ａ）が第１の値（Ａ１）を超えたときに開状態となり、前記比（Ａ）が第２の値（Ａ２）以下になった瞬間に再度閉状態となるのに適しており、前記バルブは前記インクを前記キャピラリー要素の後部面の方に噴流の形態で放出し、さらに前記筆記用具は前記リザバを加圧する手段を含み、前記前部チャンバは外気と連通している。
【０００８】
このように、バルブは、文献ＥＰ  ０  ２４０  ９９４のように、単に使用する筆記用具によってインクが消費されることが原因で自動的に動作するものではない。キャピラリー要素中にインクを再注入するために、加圧手段を作動させる必要がある。この加圧工程は、筆記用具の使用時に媒体上に付着するインクの量が減少することを観察しているユーザによって実施される必要がある。
【０００９】
第１および第２の値（Ａ１およびＡ２）は、バルブの構造（特に、使用される材料および長穴のサイズ）に依存していることが認識されるべきである。
【００１０】
好適な実施形態では、前記比（Ａ）の第１の値（Ａ１）が約１．０７であり、前記比（Ａ）の第２の値（Ａ２）が約１．０５である。
【００１１】
少なくとも第１の値（Ａ１）は所定の値に固定される必要はないが、リザバ中の空気の量に依存し得る。リザバ中のインクがなくなる程度まで空気量が増えると、第１の値（Ａ１）が発生し得る値がより高くなる。
【００１２】
好適には、前記加圧手段は、前記インクリザバと位置合わせをした前記筆記用具の前記本体の弾性変形可能ゾーンによって構成されている。このゾーンは、前記筆記用具の前記本体の剛性部分にわたってテンションがかけられた弾性ダイヤフラムによって形成され得る。
【００１３】
前記ゾーンの変形量および領域は、ユーザがユニットを起動させている間、所定量（好ましくは、０．１〜１ｃｍ３）のインクが放出されるように決定される。
【００１４】
弾性ダイヤフラムについてのこの好適な実施形態により、構造が非常に簡単な筆記用具を提供することが可能になる。それにもかかわらず、他のタイプの加圧手段（例えば、筆記用具の本体の後部端に設置されたピストン）を用いてもよい。
【００１５】
筆記用具の本体は、ユーザが、キャピラリー要素の色強度によってリザバ中のインクの残量を確認し、さらにキャピラリー要素にまだ十分にインクが残っているかどうか、加圧手段を使用する時期かどうかを判断できるように、透明または半透明の材料で構成されることが好ましい。噴流の形態でインクを吹き出すと、前部チャンバの内壁が汚染されることになり、このため良好な外観でなくなる。従って、本発明の別の特徴によれば、キャピラリー要素は、バルブが開状態の場合に放出されるインク量を吸収するのに適切なインク受け入れ後部面を有する。この特定の性質では、キャピラリー要素の後部面はバルブから吹き出されたインク噴流を収集するように機能する。有利には、この面は凹形状であり、これによりインクと接触するようになる表面積を平坦な表面と比較して増加させることが可能になる。このような条件下では、加圧時に筆記用具がとり得る垂直位置、水平位置、または傾斜位置とは無関係にインクのはみ出す量ができる限り少なくなるように、前記凹形表面の周縁部は前記バルブの周縁部のすぐ近くにある。
【００１６】
前部チャンバ中に形状記憶特性を有する透明な中空チューブを配置し、チューブの上流端を可撓性壁と整列させることも可能である。ここで、チューブはバルブとして作用し、キャピラリー要素に開放する下流端を有している。バルブから流入し、チューブ内で導かれたインク噴流は、ユーザがはっきりと見ることができる。加えて、このようにして噴射された量のインクは、それがキャピラリー要素によって完全に吸収されるまで、チューブ中に残留する。吸収速度は、キャピラリー要素にインクが含浸するにつれて低下する。これは、チューブ中に液体インクが短期間または長期間存在することに依存して加圧手段を作動させ続けるまたは停止させることが必要かどうかを目に見える合図でユーザに提供する。
【００１７】
キャピラリー要素は、書き込みヘッドの後部を構成し得る。変形の実施形態では、キャピラリー要素の後部は、チューブの下流と適合する。このような状況では、チューブは書き込みヘッドを保持する部材として機能し得る。
【００１８】
前部チャンバと外気との連通には、好ましくはその上流端近傍で、バルブとして機能する可撓性壁近くで、チューブに連通孔を穿孔することが必要となり得る。
【００１９】
ユーザが、キャピラリー要素そしてさらに書き込みヘッドにインクを供給することが困難になるという事実があり、特にこの筆記用具は子供に有用となる。加圧手段が滞りなく作動し、同時にキャピラリー要素のインクが完全にまたは部分的にも空にならなければ、キャピラリー要素はインクで満たされ、インクは前部チャンバに流入する。この前部チャンバは、インクを書き込みヘッドを通って流れ出させるリスクがある。インクは、もはやキャピラリー要素に吸収されないからである。上記の欠点を抑えるために、本発明の別の特徴によれば、バルブに対向するキャピラリー要素の一部がインクで満たされる場合に、前部チャンバの後部を密閉し、その後部の容積を低減するように機能する手段が提供される。加圧手段のどんなさらなる作動によっても前部チャンバの後部に過剰な圧力が生成し、その結果、ユーザが、バルブを開にして新たな量のインクを噴出させるための加圧手段を作動させることはますます困難になる。
【００２０】
本発明は、添付の図面に示した形状記憶バルブを有する液体インク筆記用具の好適な実施形態に関する以下の記載を参照することでより理解が深まる。
【発明を実施するための最良の形態】
【００２１】
以下に記載される筆記用具は、空気を含むリザバ中でインクが液体状態にある種類の筆記用具を構成している。
【００２２】
より正確には、図１〜３に示される第１の実施形態において、筆記用具１は、その後部端から前部端にわたって全体がほぼ円柱形状をした本体２と、閉鎖栓４によって後部端側に規定され且つバルブ機構５によって前部端側に規定されるインクのリザバ３として機能する第１内部チャンバと、キャピラリー要素７および書き込みヘッド８（これらは、リザバ３の反対側の筆記用具１の本体２の中にあり、書き込みヘッド８は中央開口部９を通って外側に突出している）を連ねて含む前部チャンバ６とを備えている。キャピラリー７の機能は、リザバ３から出てくる液体インクを書き込みヘッド８に移送することである。
【００２３】
前部チャンバ６は、オリフィス１１を介して外気と連通している。示した実施形態では、本体２の前部端を延長して構成する部分１０であって、書き込みヘッドのキャリアとして作用する部分１０を介して設けられている。
【００２４】
示した実施形態では、筆記用具の本体２は、溶媒に対して不活性であり、そしてユーザがリザバ３の中のインクの量が確認可能であり、また前部チャンバ６に一時的にインクを収容するキャピラリーリザバ７の色状態が確認可能であるように完全にまたは部分的に透明または半透明であるプラスチック材料の剛性部分である。
【００２５】
特徴的な態様では、筆記用具１は、リザバ３中の空気を加圧する手段を有する。示した実施形態でのこの加圧手段は、リザバ３と位置が合わされて、その後部に本体２の剛性部分を局所的に配置する弾性ダイヤフラム１２によって構成される。この弾性ダイヤフラム１２は自然に弾性変形可能であり、ユーザが手動で作動させることができる。より正確には、前記ダイヤフラム１２に圧力を付与することにより、ユーザはダイヤフラム１２を変形させる。ダイヤフラム１２をタンク３の内側に押圧すると、それによりその容積が減少してタンク３に含まれる空気圧が上昇し、それにより、バルブ機構５のバルブ１３が開状態になり、圧力の上昇が十分な状態となる。
【００２６】
バルブ機構５は、形状記憶バルブ１３を備えている。この形状記憶バルブ１３は、上流の圧力（すなわち、リザバ３中の圧力）がある部分の下流の圧力（すなわち、前部チャンバ６の後部６ａ（これは、キャピラリーの一例７とバルブ１３との間にある）中の圧力）を超えると直ちに開状態になるように選択される。さらに、このバルブ１３は、上流の圧力が他の部分の下流の圧力以下になると直ちに再度閉状態になるように設計される。従って、ダイヤフラム１２の微少で不本意な変形では、バルブ１３を開状態にする見込みはない。このように開状態にすることに必要な圧力を得るために、ユーザが自発的に作用を起こすことが必須である。
【００２７】
筆記用具の使用中に書き込みヘッド８によって消費されるインクは、前部チャンバ６が連通オリフィス１１を介して外気と連通状態にあるのでこの前部チャンバ６中の圧力を低減しないということが認識されるべきである。従って、最も単純な場合では、前部チャンバ６の後部６ａ中の圧力は、それ自身が外気圧に等しい。
【００２８】
キャピラリー要素７は、筆記用具をある所定の長さ（例えば、１０〜１５ｍ）にわたって連続的に使用することが可能となるべき中間インクリザバを、キャピラリー要素７自身に構成する。キャピラリー要素７は、別の他の周知の種類のファイバタイプのリザバで構成してもよい。また、キャピラリー要素７は、親水性マイクロビーズを焼結することで得られる微小多孔性リザバで構成してもよい。
【００２９】
示した実施例では、キャピラリー要素７の後部面７ａは、バルブ１３に対向する領域において凹形状である。この凹形状部７ａの周縁部７ｂは、バルブ機構５の周縁部５ｂのすぐ近くにある。このような構造的な制約を設ける目的は、バルブ１３が開状態のときに、前部チャンバ６において本体２の内壁を汚してインクを噴射することがない、ある種の噴射インク用の容器をキャピラリー要素７に形成することである。
【００３０】
空気は、通常は前部チャンバ６全体（前記チャンバの後部６ａと連通オリフィス１１との間を含む）を循環する。この循環は、キャピラリー要素７と筆記用具の本体２の内壁との間の空間によって、またはおそらく本体２の内壁と接触状態になるように設計された場合のキャピラリー要素自身の多孔性のために達成することができる。この空気の循環のために、リザバ３から吹き出されるインクは、バルブ１３が開状態にされたときに前部チャンバから出てくる空気とその中で置換され得る。
【００３１】
本発明の筆記用具の実施形態は、ユーザが加圧手段を過度に操作した場合に、インクが書き込みヘッド８を通って流出する危険性を抑制するように機能する。上記した筆記用具１の欠点は、キャピラリー要素７が含浸された場合に、ダイヤフラム１２の作動時に吹き出される液体インクをもはや吸収することができず、過剰量の液体インクが前部チャンバ６内を自由に流動し、そして書き込みヘッド８を介して流出することである。この難問の解決法は、キャピラリー要素７が（少なくともその後部が）含浸されたとき、前部チャンバ６の後部６ａ内の圧力を一時的に増加させることである。このように圧力Ｐ２が増加すると、バルブ１３を開状態にするために付与するべきより高い絶対圧力Ｐ１が必要になる。その結果、ユーザは、ダイヤフラムを作動させる場合に抵抗を感じ、これは、バルブ１３を開状態にするためにダイヤフラムを作動させることはやめた方が適切であるということを示している。
【００３２】
この前部チャンバ６の後部６ａ中の圧力Ｐ２の一時的な増加を達成するためには、空気が前記後部中で循環することを防止し、さらに例えば、上記キャピラリー要素を構成するより多くの量の液体を吸収して膨潤する材料を使用するか、あるいは上記チャンバの内部空間に他のものを追加して構成することによって前記チャンバ６ａの内部容積を低減するように、前記後部をチャンバ６の残りの部分に対して実質的に密封することが必要かつ十分である。
【００３３】
示した実施例では、書き込みヘッド８は、キャピラリー要素７とは別個の部分である。本発明は、この実施例に限定されるものではない。書き込みヘッドは、キャピラリー要素の前部で構成され得る。これは、一構成であり、筆記用具の目的とする用途によって形状が適合される。
【００３４】
バルブ機構５では、固有のバルブ１３は形状記憶特性を有する可撓性材料で構成され、２つの部分１４および１５によって筆記用具１の本体２の内側に保持される。第１の部分１４は円筒形状であり、バルブ１３の周縁リム１３ａ用のシートとして機能する内方向ショルダ部１４ａを提供する。第２の部分１５も円筒形状であり、第１の部分１４内をスライドし、バルブ１３の周縁リム１３ａに対して当接するようにサイズ決めされた外方ショルダ部１５ａを提供する。この結果、周縁リム１３ａは、２つのショルダ部１４ａおよび１５ａの間で狭持される。図３に示した実施形態では、バルブ１３は、ある種のカップを形成するようにその周縁リム１３ａに対して盛り上がっている。この場合、凸状上部１３ｂは、リザバ３の内側に向いており、２つの相互に垂直な長穴１６を有している。このバルブ１３を作製するために使用される形状記憶材料のために、そして前記バルブの上部１３ｂの湾曲性のために、２つの長穴１６は通常の位置では閉状態を維持し、それによりリザバ３を緊密に閉ざしている。しかし、ダイヤフラム１２を作動させることによりリザバ３が加圧されると、この過剰な圧力により２つの垂直な長穴１６間に規定された４つの舌部１７が押圧され、バルブ１３に対向する前部チャンバ６の空間内の圧力Ｐ２に対するリザバ３内の圧力Ｐ１の比（Ａ）が第１の値Ａ１を超えると直ぐにバルブ１３を開状態にする。この開動作は一瞬であり、インクを噴流の形態で放出する。同様に、前記圧力（Ｐ１／Ｐ２）の比がＡ１以下である第２の値Ａ２以下になると、閉鎖が瞬時に起こる。インクが放出されると同時に、インクはリザバ３へと上昇するある量の空気と置換される。このようなバルブは、筆記用具以外の分野において既に知られている。特定の実施例では、圧力比（Ｐ１／Ｐ２）に関する第１の値（Ａ１）は約１．０７であり、一方第２の値（Ａ２）は約１．０５である。より正確には、前部チャンバ６は大気圧にあるので、圧力Ｐ１が７×１０３パスカル（Ｐａ）（＝０．０７バール）になるとバルブが開になり、圧力Ｐ１が５×１０３パスカル（Ｐａ）（＝０．０５バール）になるとバルブが閉になる。
【００３５】
図４に示される第２の実施形態では、第１の実施形態と同じ部分を示すために同じ参照符号が用いられている。この第２の実施形態の筆記用具２０は、２つの本質的な点において構造的に異なる。第１の異なる点は、書き込みヘッドがキャピラリー要素２１の前部２１ａで構成されていることである。このキャピラリー要素２１は、その配置およびサイズが、筆記用具の意図した用途に応じて適合されている。図４に示した実施形態では、筆記用具は幅Ｌ（これは、約３０ｍｍであり得る）の書き込みヘッドを有する専門用途のマーカーである。
【００３６】
第２の異なる点は、前部チャンバ２２が部分２３に形成されることである。この部分２３は、その前部２３ａが、キャピラリー要素２１を所定位置に保持するハウジングとして機能し、その後部２３ｂが、液体インクのリザバ３として機能する筆記用具２０の本体２４の一部にその端部２３ｃが設置される透明チューブで構成される。図４をよく見れば明らかに分かるように、ユーザは、リザバ３を加圧する手段（特に、弾性ダイヤフラム１２）の作動時に、バルブ１３から漏れるインクの噴流を透明チューブ２３ｂを介して観察することができる。従って、前部チャンバ２２は、その後部端がバルブ１３によって、その前部端がキャピラリー要素２１によって、そして透明チューブ２３ｂによって横方向に厳密に規定される。ユーザが加圧手段を起動させると、所定量のインクがバルブ１３を介して前部チャンバ２２に吹き出される。この量（好ましくは、０．１〜１ｃｍ３の範囲）は、それがキャピラリー要素２１で吸収されるまでそのチャンバ２２に留まる。インクがバルブ１３によって瞬時に噴出されると、キャピラリー要素によるその吸収が徐々に進行する。所定のキャピラリー要素について、キャピラリー要素２１が吹き出されたインクの全量を吸収するために必要な時間は、前記キャピラリー要素が既に吸収したインクの量による。吹き出されたインクは、キャピラリー要素のその空間全体にわたって毛管現象により拡散し、前部チャンバ２２の直ぐ近くのその後部２１ｂから出ていく。従って、この後部２１ｂは多量のインクを含み、新たに噴射された量のインクがキャピラリー要素２１中に拡散することはずっと困難になる。そして、この量のインクは、前部チャンバ２２に液体状態で留まる。ユーザがこの噴射されたインクがどの程度迅速に吸収されるかを確認し、従ってキャピラリー要素２１が含浸される程度を見分けることができれば、ユーザはリザバ３を加圧する手段を作動させ続けるか、あるいは中断することができるようになる。
【００３７】
必要であれば、前部チャンバは、好ましくはバルブ１３の近くであって、透明チューブ２３ｂを通って形成されたホール２５によって外気と連通する。
【００３８】
本発明は、上記の非包括的な例示の実施形態に限定されるものではない。リザバ３を加圧するための弾性変形可能なダイヤフラム１２は、必要に応じて、筆記用具１，２０の後部端（例えば、閉鎖栓４の底部）に設置されてもよい。さらに、別のタイプの加圧手段が用いられてもよい。この例として、ピストン型の手段がある。文献ＥＰ  ０  ２４０  ９９４では、ピストンは自由にスライドしないが、各操作において吹き出されるインクの単位量に応じて規定されるストロークを有している。
【図面の簡単な説明】
【００３９】
【図１】図１は、第１の実施形態の筆記用具の長手方向の断面図である。
【図２】図２は、図１の筆記用具を構成する種々の要素の斜視図である。
【図３】図３は、上記の筆記用具に用いられる形状記憶バルブの斜視図である。
【図４】図４は、第２の実施形態の筆記用具の長手方向の断面図である。
【国際公開パンフレット】
2004520198.tif 000003
2004520198.tif 000004
2004520198.tif 000005
2004520198.tif 000006
2004520198.tif 000007
2004520198.tif 000008
2004520198.tif 000009
2004520198.tif 000010
2004520198.tif 000011
2004520198.tif 000012
2004520198.tif 000013
2004520198.tif 000014
2004520198.tif 000015
2004520198.tif 000016
2004520198.tif 000017
2004520198.tif 000018
2004520198.tif 000019
2004520198.tif 000020
【国際調査報告】
2004520198.tif 000021
2004520198.tif 000022
2004520198.tif 000023
2004520198.tif 000024